(57)【特許請求の範囲】
【請求項１】
音声信号を、ユーザによって設定される速度に応じて再生するための処理を実行するプロセッサを備える電子機器であって、
前記プロセッサは、前記ユーザによって第１速度が設定される場合、前記音声信号を前記第１速度の話速に変換し、且つ第１の抑圧量で雑音を抑制した上で、前記第１速度に応じて前記音声信号を再生し、
前記プロセッサは、前記ユーザによって前記第１速度よりも遅い第２速度が設定される場合、前記音声信号を前記第２速度の話速に変換し、且つ前記第１の抑圧量よりも大きい第２の抑圧量で雑音を抑制した上で、前記第２速度に応じて前記音声信号を再生する、
電子機器。
【請求項２】
前記プロセッサは、前記ユーザによって前記第１速度より速い第３速度が設定される場合、前記音声信号を前記第３速度の話速に変換し、且つ前記第１の抑圧量と前記第２の抑圧量との差分より小さい第３の抑圧量で前記音声信号の雑音を抑制した上で、前記第３速度に応じて前記音声信号を再生する請求項１に記載の電子機器。
【請求項３】
前記第２速度は、再生するための処理を実行前の前記音声信号の０．６倍以下の速度である請求項１に記載の電子機器。
【請求項４】
音声信号を、ユーザによって設定される速度に応じて再生するための処理を実行する方法であって、
前記ユーザによって第１速度が設定される場合、前記音声信号を前記第１速度の話速に変換し、且つ第１の抑圧量で雑音を抑制した上で、前記第１速度に応じて前記音声信号を再生し、
前記ユーザによって前記第１速度よりも遅い第２速度が設定される場合、前記音声信号を前記第２速度の話速に変換し、且つ前記第１の抑圧量よりも大きい第２の抑圧量で雑音を抑制した上で、前記第２速度に応じて前記音声信号を再生する、
方法。
【請求項５】
前記ユーザによって前記第１速度より速い第３速度が設定される場合、前記音声信号を前記第３速度の話速に変換し、且つ前記第１の抑圧量と前記第２の抑圧量との差分より小さい第３の抑圧量で前記音声信号の雑音を抑制した上で、前記第３速度に応じて前記音声信号を再生する請求項４に記載の方法。
【請求項６】
コンピュータに、
音声信号を、ユーザによって設定される速度に応じて再生するための処理を実行するとき、
前記ユーザによって第１速度が設定される場合、前記音声信号を前記第１速度の話速に変換し、且つ第１の抑圧量で雑音を抑制した上で、前記第１速度に応じて前記音声信号を再生する手段と、
前記ユーザによって前記第１速度よりも遅い第２速度が設定される場合、前記音声信号を前記第２速度の話速に変換し、且つ前記第１の抑圧量よりも大きい第２の抑圧量で雑音を抑制した上で、前記第２速度に応じて前記音声信号を再生する手段と、
を実行させるプログラム。
【請求項７】
前記ユーザによって前記第１速度より速い第３速度が設定される場合、前記音声信号を前記第３速度の話速に変換し、且つ前記第１の抑圧量と前記第２の抑圧量との差分より小さい第３の抑圧量で前記音声信号の雑音を抑制した上で、前記第３速度に応じて前記音声信号を再生するための処理を実行する請求項６に記載のプログラム。
【請求項８】
前記第２速度は、再生するための処理を実行前の前記音声信号の０．６倍以下の速度である請求項６に記載のプログラム。 
【発明の詳細な説明】
【技術分野】
【０００１】
本発明の実施形態は、電子機器、方法およびプログラムに関する。
【背景技術】
【０００２】
会議や講義等での音声等の音を録音し、録音した音声を聞いて内容を振り返る際に話速（発話の速度）を変換する技術がある。
【先行技術文献】
【特許文献】
【０００３】
【特許文献１】特開２０１２−１５９５４０号公報
【発明の概要】
【発明が解決しようとする課題】
【０００４】
しかしながら、音声に対して話速変換を行って当該音声の基本周期であるピッチを長くした場合、当該音声に含まれる背景ノイズの位相が崩れて当該音声の音質が劣化することがあり、改善が必要とされている。
【課題を解決するための手段】
【０００５】
実施形態の電子機器は、プロセッサを備える。前記プロセッサは、音声信号を、ユーザによって設定される速度に応じて再生するための処理を実行する。前記プロセッサは、前記ユーザによって第１速度が設定される場合、前記音声信号を前記第１速度の話速に変換し、且つ第１の抑圧量で雑音を抑制した上で、第１速度に応じて前記音声信号を再生する。前記プロセッサは、前記ユーザによって前記第１速度よりも遅い第２速度が設定される場合、前記音声信号を前記第２速度の話速に変換し、且つ前記第１の抑圧量よりも大きい第２の抑圧量で雑音を抑制した上で、前記第２速度に応じて前記音声信号を再生する。
【図面の簡単な説明】
【０００６】
【図１】図１は、本実施形態にかかる電子機器を適用したタブレット端末の外観の一例を示す図である。
【図２】図２は、本実施形態にかかるタブレット端末のハードウェア構成の一例を示す図である。
【図３】図３は、本実施形態にかかるタブレット端末で実現されるソフトウェア構成の一例を示す図である。
【図４】図４は、本実施形態にかかるタブレット端末における入力音声信号の話速変換処理の流れを示すフローチャートである。
【図５】図５は、本実施形態にかかるタブレット端末によって雑音抑圧処理が実行された入力音声信号の波形のスペクトルの一例を示す図である。
【発明を実施するための形態】
【０００７】
以下、添付の図面を用いて、本実施形態にかかる電子機器、方法およびプログラムについて説明する。
【０００８】
図１は、本実施形態にかかる電子機器を適用したタブレット端末の外観の一例を示す図である。本実施形態は、タブレット端末に電子機器を適用した例について説明するが、これに限定するものではなく、例えば、スマートフォン、携帯電話機、ＰＤＡ（Personal  Digital  Assistant）、ノートブック型のパーソナルコンピュータ、デジタルテレビジョン等に電子機器を適用することも可能である。本実施形態では、タブレット端末は、図１に示すように、本体部１１と、表示部１２と、カメラモジュール１３と、を備えている。
【０００９】
本体部１１は、薄い直方体の箱型の筐体を有している。表示部１２は、ＬＣＤ（Liquid  Crystal  Display）等で構成された表示画面１２１（図２参照）と、静電容量式のタッチパネルや電磁誘導方式のデジタイザ等によって構成され、当該表示画面１２１上でのスタイラスペンまたは指等によるタッチ操作（タップ）を検出可能に設けられたタッチパネル１２２（図２参照）と、を有するタッチパネルディスプレイである。カメラモジュール１３は、本体部１１において、表示画面１２１が設けられた面とは反対側の面の前方を撮像可能に設けられた撮像部である。
【００１０】
図２は、本実施形態にかかるタブレット端末のハードウェア構成の一例を示す図である。本実施形態にかかるタブレット端末は、図２に示すように、ＣＰＵ（Central  Processing  Unit）１０１と、システムコントローラ１０２と、メインメモリ１０３と、グラフィックスコントローラ１０４と、ＢＩＯＳ（Basic  Input  /  Output）−ＲＯＭ（Read  Only  Memory）１０５と、不揮発性メモリ１０６と、無線通信デバイス１０７と、エンベデットコントローラ（ＥＣ）１０８と、電話回線通信モジュール１０９と、スピーカーモジュール１１０と、ＧＰＳ（Global  Positioning  System）受信部１１１と、マイクロフォン１１２と、を備える。
【００１１】
ＣＰＵ１０１は、タブレット端末の各部の動作を制御する制御部として機能するプロセッサ（コンピュータ）の一例であり、電子回路に搭載されている。具体的には、ＣＰＵ１０１は、ＢＩＯＳ−ＲＯＭ１０５に記憶されたＢＩＯＳを実行する。その後、ＣＰＵ１０１は、記憶装置の一例である不揮発性メモリ１０６からメインメモリ１０３にロードされる各種プログラムを実行する。ＣＰＵ１０１によって実行されるプログラムには、ＯＳ（Operating  System）２０１等の各種アプリケーションプログラムが含まれる。
【００１２】
システムコントローラ１０２は、ＣＰＵ１０１のローカルバスと各種モジュールとの間を接続するデバイスである。また、システムコントローラ１０２は、メインメモリ１０３に対するアクセスを制御するメモリコントローラを有している。また、システムコントローラ１０２は、PCI  EXPRESS規格のシリアルバス等を介してグラフィックスコントローラ１０４と通信する機能を有している。
【００１３】
グラフィックスコントローラ１０４は、表示部１２を制御する表示制御部として機能する。具体的には、グラフィックスコントローラ１０４は、表示部１２に対して各種情報を表示させる場合、各種情報を表示するための表示信号を生成し、当該表示信号を表示画面１２１に出力することによって、各種情報を表示画面１２１に表示させる。
【００１４】
無線通信デバイス１０７は、無線ＬＡＮ（Local  Area  Network）やBluetooth（登録商標）等によって外部機器との無線通信を実行するデバイスである。エンベデットコントローラ１０８は、タブレット端末の電源をオンまたはオフする。
【００１５】
カメラモジュール１３は、上述したように、本体部１１において、表示画面１２１が設けられた面とは反対側の面の前方を撮像可能に設けられた撮像部である。本実施形態では、カメラモジュール１３は、ユーザが表示画面１２１に表示されたボタンに対してタッチ操作を行ったことがタッチパネル１２２によって検出された場合に、タブレット端末の周囲の撮像を行う。
【００１６】
スピーカーモジュール１１０は、システムコントローラ１０２を介してＣＰＵ１０１から入力される音の信号に基づいて、音声等の音を出力する。マイクロフォン１１２は、タブレット端末の周囲の音を集音可能に設けられる。そして、マイクロフォン１１２は、集音した音声等の音の信号（以下、入力音声信号と言う）をメインメモリ１０３に保存する。
【００１７】
電話回線通信モジュール１０９は、例えば３Ｇ等の移動通信システムを用いて、基地局を介して外部機器とデータ通信を行うためのモジュールである。ＧＰＳ受信部１１１は、ＧＰＳで計測されたタブレット端末の位置情報を受信する。
【００１８】
図３は、本実施形態にかかるタブレット端末で実現されるソフトウェア構成の一例を示す図である。本実施形態では、タブレット端末は、図３に示すように、ＣＰＵ１０１がメインメモリ２０１に記憶された各種プログラムを実行することによって、音声取得部３００、話速変換部３０１、雑音抑圧量算出部３０２、雑音抑圧部３０３および話速設定部３０４を実現する。
【００１９】
音声取得部３００は、タッチパネル１２２により検出したタッチ操作によって入力音声信号の出力が指示された場合に、不揮発性メモリ１０６に記憶された入力音声信号を取得する。話速設定部３０４は、タッチパネル１２２により検出したタッチ操作に従って、音声取得部３００によって取得された入力音声信号の再生速度である話速（ユーザによって設定される速度の一例）に関する情報である話速情報を設定する。本実施形態では、話速設定部３０４は、再生するための処理（以下、話速変換処理と言う）を実行前の入力音声信号に対する、話速変換処理後の入力音声信号の話速の倍率を示す情報を話速情報として設定する。また、ユーザによって設定される話速（入力音声信号の再生速度）は、入力音声信号を再生するための再生速度を決定するために用いられる情報であれば、どのような情報であっても良く、例えば、入力音声信号の再生速度を倍率で示すパラメータ、入力音声信号（特に、ユーザが発生する音声）に含まれる信号の基本周期（ピッチ）で示すパラメータであっても良い。
【００２０】
本実施形態では、話速設定部３０４は、話速変換処理前の入力音声信号の話速に対する、話速変換処理後の入力音声信号の話速の倍率を話速情報として設定しているが、話速変換処理後の入力音声信号の話速に関する情報を話速情報として設定するものであれば、これに限定するものではない。例えば、話速設定部３０４は、話速変換処理後の入力音声信号の話速を示す情報を話速情報として設定しても良い。
【００２１】
話速変換部３０１は、話速設定部３０４により予め設定された話速情報に応じて、音声取得部３００により取得された入力音声信号の話速を変換する話速変換処理を実行する。雑音抑圧量算出部３０２は、入力音声信号に含まれる雑音を抑制する量（以下、雑音抑圧量と言う）を算出する雑音抑圧量算出処理を実行する。雑音抑圧部３０３は、入力音声信号に含まれる雑音を、雑音抑圧量算出部３０２により算出された雑音抑圧量で抑制する雑音抑圧処理を実行する。本実施形態では、タブレット端末は、図３に示すように、話速変換部３０１による話速変換処理、雑音抑圧量算出部３０２による雑音抑圧量算出処理、および雑音抑圧部３０３による雑音抑圧処理の順に各処理を実行しているが、これに限定するものではない。例えば、タブレット端末は、雑音抑圧量算出部３０２による雑音抑圧量算出処理、話速変換部３０１による話速変換処理、および雑音抑圧部３０３による雑音抑圧処理の順に各処理を実行しても良い。若しくは、タブレット端末は、雑音抑圧量算出部３０２による雑音抑圧量算出処理、雑音抑圧部３０３による雑音抑圧処理、および話速変換部３０１による話速変換処理の順に各処理を実行しても良い。
【００２２】
次に、図４を用いて、本実施形態にかかるタブレット端末における入力音声信号の話速変換処理の流れについて説明する。図４は、本実施形態にかかるタブレット端末における入力音声信号の話速変換処理の流れを示すフローチャートである。
【００２３】
音声取得部３００は、タッチパネル１２２により検出したタッチ操作によって入力音声信号の再生が指示された場合に、不揮発性メモリ１０６から入力音声信号を取得する音声取得処理を実行する（ステップＳ４０１）。本実施形態では、音声取得部３００は、不揮発性メモリ１０６に記憶された入力音声信号を、再生対象の音の信号の一例として取得しているが、これに限定するものではなく、サーバ等の外部機器に記憶された音の信号を、再生対象の音の信号として取得しても良い。
【００２４】
話速変換部３０１は、音声取得部３００によって入力音声信号が取得されると、話速設定部３０４によって予め設定された話速情報に従って、当該取得された入力音声信号の話速を変換する話速変換処理を実行する（ステップＳ４０２）。その際、話速変換部３０１は、音声の基本周期を用いて、取得された入力音声信号の話速を下げたり、取得された入力音声信号の話速を上げたりすることによって、話速変換処理を実行する。具体的には、話速変換部３０１は、取得された入力音声信号に含まれる音声の基本周期（ピッチ）を伸縮することによって、当該取得された入力音声信号の話速を変換する話速変換処理を実行する。本実施形態では、再生対象の音の信号の一例として音声の信号である入力音声信号が取得されるため、話速変換部３０１は、音声の基本周期を用いて、取得された入力音声信号の話速変換処理を実行するが、再生対象の音の信号が人の声以外の所定の基本周期を持つ音の信号である場合には、当該音の基本周期を用いて、再生対象の音の信号の話速変換処理を実行する。
【００２５】
本実施形態では、話速設定部３０４は、入力音声信号の話速変換処理に先立って、話速情報を設定するためのＧＵＩ（Graphic  User  Interface）を表示画面１２１に表示する。そして、話速設定部３０４は、タッチパネル１２２によって検出されたＧＵＩに対するタッチ操作に応じて、話速情報を設定する。
【００２６】
雑音抑圧量算出部３０２は、話速変換部３０１によって入力音声信号の話速が変換されると、話速変換処理後の入力音声信号の話速に基づいて、当該入力音声信号に含まれる雑音の雑音抑圧量を算出する雑音抑圧量算出処理を実行する（ステップＳ４０３）。具体的には、雑音抑圧量算出部３０２は、話速設定部３０４によって第１の話速に関する話速情報が設定される場合には（すなわち、話速変換部３０１によって入力音声信号に含まれる音声のピッチが第１ピッチに変換される場合には）、第１の雑音抑圧量（第１の抑圧量の一例）を算出する。一方、雑音抑圧量算出部３０２は、話速設定部３０４によって第１の話速よりも小さい第２の話速に関する話速情報が設定される場合には（すなわち、第１の話速よりも遅い第２の話速に変換する場合、若しくは話速変換部３０１によって入力音声信号に含まれる音声のピッチが第１ピッチより長い第２ピッチに変換される場合には）、第１の雑音抑圧量より大きい第２の雑音抑圧量（第２の抑圧量の一例）を算出する。
【００２７】
例えば、雑音抑圧量算出部３０２は、話速変換処理前の入力音声信号の話速の０．５倍の第１の話速に関する話速情報が設定される場合には、８ｄＢを第１の雑音抑圧量として算出する。一方、雑音抑圧量算出部３０２は、話速変換処理前の入力音声信号の話速の０．５倍以下の第２の話速に関する話速情報が設定される場合には、１０ｄＢを第２の雑音抑圧量として算出する。
【００２８】
雑音抑圧部３０３は、例えばスペクトルサブストラクション等を用いて、話速変換処理後の入力音声信号に含まれる雑音を、雑音抑圧量算出部３０２によって算出された雑音抑圧量で抑制する雑音抑圧処理を実行する（ステップＳ４０４）。具体的には、雑音抑圧部３０３は、第１話速（本実施形態では、話速変換処理前の入力音声信号の話速の０．５倍よりは速い話速）に関する話速情報が設定される場合、第１の話速に変換する入力音声信号が含む雑音を、第１の雑音抑圧量で抑制する。一方、雑音抑圧部３０３は、入力音声信号の話速が第１の話速より遅い第２の話速（本実施形態では、話速変換処理前の入力音声信号の話速の０．５倍以下の話速）に変換する場合、第２の話速に変換された入力音声信号が含む雑音を、第２の雑音抑圧量で抑制する。そして、雑音抑圧部３０３は、雑音抑圧処理後の入力音声信号を、出力音声信号としてスピーカーモジュール１１０に出力する（ステップＳ４０５）。本実施形態では、タブレット端末は、図４に示すように、話速変換部３０１による話速変換処理（ステップＳ４０２）、雑音抑圧量算出部３０２による雑音抑圧量算出処理（ステップＳ４０３）、および雑音抑圧部３０３による雑音抑圧処理（ステップＳ４０４）の順に各処理を実行しているが、これに限定するものではない。例えば、タブレット端末は、雑音抑圧量算出部３０２による雑音抑圧量算出処理（ステップＳ４０３）、話速変換部３０１による話速変換処理（ステップＳ４０２）、および雑音抑圧部３０３による雑音抑圧処理（ステップＳ４０４）の順に各処理を実行しても良い。若しくは、タブレット端末は、雑音抑圧量算出部３０２による雑音抑圧量算出処理（ステップＳ４０３）、雑音抑圧部３０３による雑音抑圧処理（ステップＳ４０４）、および話速変換部３０１による話速変換処理（ステップＳ４０２）の順に各処理を実行しても良い。
【００２９】
これにより、入力音声信号が第２の話速に変換されて、当該入力音声信号に含まれる雑音の位相が崩れた場合に、入力音声信号の位相の崩れを回復しなくても、当該入力音声信号の音質の劣化を防止できるので、入力音声信号を第２の話速に変換する場合に、所望の話速の入力音声信号を出力することができる。
【００３０】
本実施形態では、雑音抑圧部３０３は、入力音声信号の話速が、話速変換処理前の入力音声信号の話速の０．５倍以下の第２の話速に変換する場合に、第２の話速に変換する入力音声信号に含まれる雑音を第２の雑音抑圧量で抑制しているが、入力音声信号の話速が、話速変換処理前の入力信号の話速より遅い第２の話速に変換する場合には、第２の話速に変換する入力音声信号に含まれる雑音を第２の雑音抑圧量で抑圧するようにしても良い。
【００３１】
また、本実施形態では、雑音抑圧部３０３は、入力音声信号の話速を第１の話速より速い第３の話速に変換する場合には、第１の雑音抑圧量を基準として、当該第１の雑音抑圧量と第２の雑音抑圧量との差分より小さい変化量（第３の抑圧量）で、第３の話速に変換する入力音声信号の雑音を抑制する。若しくは、雑音抑圧部３０３は、入力音声信号の話速を第３の話速に変換する場合、第３の話速に変換する入力音声信号が含む雑音の抑制を禁止する（言い換えると、第３の話速に変換する入力音声信号が含む雑音を抑制しない）。これにより、入力音声信号の話速を第３の話速に変換する場合に、話速変換処理によって入力音声信号に含まれる雑音の崩れによって音質が劣化していないにも関わらず、雑音が必要以上に抑制されることを防止できる。
【００３２】
図５は、本実施形態にかかるタブレット端末によって雑音抑圧処理を実行したときの入力音声信号の波形のスペクトルの一例を示す図である。図５に示す入力音声信号の波形のスペクトルにおいて、縦軸は入力音声信号の波形のパワーを示し、横軸は入力音声信号の周波数を示している。また、図５において、第１のスペクトル５０１は、話速変換処理前の入力音声信号のスペクトルである。また、図５において、第２のスペクトル５０２は、第２の話速（話速変換処理前の入力音声信号の話速の０．５倍の話速）に話速を変換しかつ雑音を抑制していない入力音声信号のスペクトルである。また、図５において、第３のスペクトル５０３は、第２の話速に話速を変換しかつ第２の雑音抑圧量（例えば、８ｄＢ）で雑音を抑制した入力音声信号のスペクトルである。
【００３３】
図５に示すように、第２のスペクトル５０２は、第１のスペクトル５０１と比較して、凹凸を有しており、音質が劣化している。これに対して、第３のスペクトル５０３は、第２のスペクトル５０２と比較して、凹凸が平滑化されており、音質の劣化が軽減されている。
【００３４】
このように、本実施形態のタブレット端末によれば、入力音声信号を第２の話速に変換する場合に、入力音声信号の音質の劣化を防止しつつ所望の話速の入力音声信号を出力することができる。
【００３５】
本実施形態では、雑音抑圧部３０３は、話速変換処理前の入力音声信号の話速の０．５倍以下に当該入力音声信号の話速が変換する場合に、当該入力音声信号が含む雑音を、第２の雑音抑圧量で抑制しているが、話速変換処理前の入力音声信号の話速の０．５±０．１倍以下の話速に変換する場合も、入力音声信号に含まれる雑音を、第２の雑音抑圧量で抑制することによって、入力音声信号の話速を０．５倍以下に変換した場合と同様に、入力音声信号の音質の劣化を防止しつつ所望の話速の入力音声信号を出力することができる。
【００３６】
なお、本実施形態のタブレット端末で実行されるプログラムは、ＲＯＭ等に予め組み込まれて提供される。本実施形態のタブレット端末で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成しても良い。
【００３７】
さらに、本実施形態のタブレット端末で実行されるプログラムを、インターネット等のネットワークに接続されたコンピュータ上に格納し、ネットワーク経由でダウンロードさせることにより提供するように構成しても良い。また、本実施形態のタブレット端末で実行されるプログラムまたは機能をインターネット等のネットワーク経由で提供または配布するように構成しても良い。
【００３８】
本実施形態のタブレット端末で実行されるプログラムは、上述した各部（音声取得部３００、話速変換部３０１、雑音抑圧量算出部３０２、雑音抑圧部３０３、話速設定部３０４）を含むモジュール構成となっており、実際のハードウェアとしてはＣＰＵ１０１が上記ＲＯＭからプログラムを読み出して実行することにより上記各部が主記憶装置上にロードされ、音声取得部３００、話速変換部３０１、雑音抑圧量算出部３０２、雑音抑圧部３０３、話速設定部３０４が主記憶装置上に生成されるようになっている。
【００３９】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００４０】
１１  本体部
１２  表示部
１３  カメラモジュール
１０１  ＣＰＵ
１０２  システムコントローラ
１０３  メインメモリ
１０４  グラフィックスコントローラ
１０５  ＢＩＯＳ−ＲＯＭ
１０６  不揮発性メモリ
１０７  無線通信デバイス
１０８  ＥＣ
１０９  電話回線通信モジュール
１１０  スピーカーモジュール
１１１  ＧＰＳ受信部
１１２  マイクロフォン
１２１  表示画面
１２２  タッチパネル
３００  音声取得部
３０１  話速変換部
３０２  雑音抑圧量算出部
３０３  雑音抑圧部
３０４  話速設定部
【図１】
0006483391.tif 000002
【図２】
0006483391.tif 000003
【図３】
0006483391.tif 000004
【図４】
0006483391.tif 000005
【図５】
0006483391.tif 000006